(57)【要約】移動端末（１００）は、レンズおよび（または）フィルターの組合せ（１０２）、シングルチップのカメラモジュール（１０６）、および集積型移動端末プロセッサ（１０８）を含む。前記レンズおよび（または）フィルターの組合せは、光学的なイメージ信号を送信するために、光に応答する。前記シングルチップのカメラモジュール（１０６）は、前記光学的イメージ信号、および集積型移動端末プロセッサの制御信号に応答し、該モジュールは、アナログ−デジタル変換（ＡＤＣ）以前に行なう（相関二重サンプリング（ＣＤＳ）および自動ゲイン制御（ＡＧＣ）のような）アナログイメージ処理機能と、（画素アクセス、タイミングおよび基本自動露光制御のような）基本センサ駆動および調節機能と、デジタル入力／出力（Ｉ／Ｏ）機能とを実行し、センサデータ出力信号およびシングルチップのカメラモジュール制御バス信号を供給するためのものである。前記集積型移動端末プロセッサ（１０８）は、前記センサデータ出力信号、および前記シングルチップのカメラモジュール制御バス信号に応答し、該プロセッサは、カメラ制御とデータ変換機能を実行するため、および該集積型移動端末プロセッサの制御信号を供給するためのものである。
2004515981.tif 000002
【特許請求の範囲】
【請求項１】
光学的なイメージ信号を送信するために、光に応答するためのレンズおよび（または）フィルターの組合せ（１２）を有する移動端末（１０）であって、
該移動端末が、
前記光学的イメージ信号、および集積型移動端末プロセッサの制御信号にさらに応答するシングルチップのカメラモジュール（１０６）であって、アナログ−デジタル変換（ＡＤＣ）以前に行なうアナログイメージ処理機能と、基本センサ駆動および調節機能と、デジタル入力／出力（Ｉ／Ｏ）機能とを実行し、センサデータ出力信号およびシングルチップのカメラモジュール制御バス信号を供給するためのシングルチップのカメラモジュール（１０６）、および
前記センサデータ出力信号、および前記シングルチップのカメラモジュール制御バス信号にさらに応答する集積型移動端末プロセッサ（１０８）であって、カメラ制御とデータ変換機能を実行し、該集積型移動端末プロセッサの制御信号を供給するための集積型移動端末プロセッサ（１０８）
を備えてなる
ことを特徴とする移動端末。
【請求項２】
前記アナログイメージ処理機能が、相関二重サンプリング（ＣＤＳ）および自動ゲイン制御（ＡＧＣ）を含むことを特徴とする請求項１記載の移動端末。
【請求項３】
前記基本センサ駆動および調節機能が、画素アクセス、タイミングおよび基本自動露光制御を含むことを特徴とする請求項１記載の移動端末。
【請求項４】
前記集積型移動端末プロセッサ（１０８）が、データ変換を行なうとともに、操作のあいだ、カメラ制御機能と、基本センサ駆動のオーバーライディングと、調整機能とを行なうことを特徴とする請求項１記載の移動端末。
【請求項５】
前記レンズおよび（または）フィルターの組合せ（１２）が、赤外線フィルターを含むことを特徴とする請求項１記載の移動端末。
【請求項６】
前記シングルチップのカメラモジュールが、イメージセンシング機能を行なう相補形ＭＯＳ（ＣＭＯＳ）イメージセンサを含むことを特徴とする請求項１記載の移動端末。
【請求項７】
前記相補形ＭＯＳ（ＣＭＯＳ）イメージセンサが、６４０×４８０（ＶＧＡ）、８００×６００（ＳＶＣＡ）もしくは１０２４×７６８（ＸＧＡ）画素、またはそれらより大きいその他の４：３の縦横比のセンサエリアのセンササイズを与えることを特徴とする請求項１記載の移動端末。
【請求項８】
前記シングルチップのカメラモジュールが、タイミング発生機能を行なうためのタイミング発生器を含むことを特徴とする請求項１記載の移動端末。
【請求項９】
前記シングルチップのカメラモジュールが、基本自動露光制御機能を行なう基本自動露光制御を含むことを特徴とする請求項１記載の移動端末。
【請求項１０】
前記シングルチップのカメラモジュールが、画素アクセス機能を行なう画素アクセス回路を含むことを特徴とする請求項１記載の移動端末。
【請求項１１】
前記画素アクセス回路が、赤／緑／青サブサンプリングを行なうプログラミング可能なセンサ読込みアクセス回路を備えたことを特徴とする請求項１０記載の移動端末。
【請求項１２】
前記画素アクセス回路が、死んだ画素を隠すアルゴリズムを用いる、プログラミング可能なセンサ読込みアクセス回路を備えたことを特徴とする請求項１０記載の移動端末。
【請求項１３】
前記シングルチップのカメラモジュールが、相関二重サンプリング（ＣＤＳ）機能を行なう相関二重サンプリング（ＣＤＳ）モジュールを含むことを特徴とする請求項１記載の移動端末。
【請求項１４】
前記シングルチップのカメラモジュールが、自動ゲイン制御（ＡＧＣ）機能を行なう自動ゲイン制御（ＡＧＣ）モジュールを含むことを特徴とする請求項１記載の移動端末。
【請求項１５】
前記シングルチップのカメラモジュールが、当該シングルチップのカメラモジュールと前記集積型移動端末プロセッサとのあいだのデジタル出力インタフェース機能を行なうためのデジタル出力インタフェースを含むことを特徴とする請求項１記載の移動端末。
【請求項１６】
前記シングルチップのカメラモジュールが、シリアルバスを備えたデジタル出力インタフェースを含むことを特徴とする請求項１記載の移動端末。
【請求項１７】
前記シリアルバスが低電圧デファレンシアル・シグナリングの形態を用いることを特徴とする請求項１６記載の移動端末。
【請求項１８】
前記シングルチップのカメラモジュールが、当該シングルチップのカメラモジュールと前記集積型移動端末プロセッサとのあいだのデジタル制御インタフェース機能を行なうためのデジタル制御インタフェースを含み、前記シングルチップのカメラモジュールと前記集積型移動端末プロセッサとのあいだの前記シングルチップのカメラモジュール制御バス信号および前記集積型移動端末プロセッサ制御信号の交換を含むことを特徴とする請求項１記載の移動端末。
【請求項１９】
前記デジタル制御インタフェースがシリアルバスを備えてなることを特徴とする請求項１８記載の移動端末。
【請求項２０】
前記センサデータ出力信号が、センサの未処理データ出力信号またはサブサンプリングされた赤／緑／青センサデータ出力信号のいずれかを含むことを特徴とする請求項１記載の移動端末。
【請求項２１】
前記サブサンプリングされた赤／緑／青センサデータ出力信号が、テレビジョン技術に基づいた端末に歪曲なしで表示させる１１：１２の水平圧縮比を有する赤／緑／青サブサンプリングを含むことを特徴とする請求項２０記載の移動端末。
【発明の詳細な説明】
【０００１】
［発明の背景］
１．発明の分野
本発明は携帯電話に関し、より詳細には、インターネットへカメラ信号を送りかつインターネットからカメラ信号を受け取るためのカメラおよび信号プロセッサを有する携帯電話に関する。
【０００２】
将来の移動端末は、電話から電話へかつ電話からインターネットへおよびその逆にマルチメディアメッセージを送ることができる必要がある。したがって、一体型のまたは付属のデジタルカメラが、携帯電話には有用な追加機能である。
【０００３】
２．関連技術の説明
図１は、カメラ制御およびフォーマット変換用、たとえば、デジタル構成要素ビデオ変換へのカラーフィルターアレイ補間および赤／緑／青（ＲＧＢ）用の、相補型金属酸化膜半導体（ＣＭＯＳ）センサ技術およびデジタル信号プロセッサ（ＤＳＰ）を使用した、全体として１０で示される公知のデジタルカメラを示す。カラーフィルターアレイは業界では公知であり、ベイヤーカラーフィルターアレイは、米国特許第４，６０５，９５６号明細書（イーストマン・コダックに付与）に記載されており、かかるカラーフィルターの１例である。米国特許第４，６０５，９５６号明細書は、色依存複屈折光的空間的周波数フィルターならびに赤および青の信号補間回路を備えたシングルチップの電子カラーカメラを開示しており、これは、補間されたＲＧＢを単一のセンサから生成するための方法を提供する。
【０００４】
デジタルカメラ１０は、レンズ／フィルター組合わせ１２と、タイミング機能を実行するためのタイミング発生器１４と、画像検知機能を実行するために共通中間フォーマット（ＣＩＦ）またはビデオグラフィクスアレイ（ＶＧＡ）を使用するＣＭＯＳ画像センサ１６と、を有するカメラモジュール１１を含む。操作において、ビデオキャプチャおよび静止画キャプチャにおけるフレームサイズは異なり、そのため、ビデオグラフィクスアレイ（ＶＧＡ）センサデータから共通中間フォーマット（ＣＩＦ）または他のビデオフレームサイズへの変換は、ＤＳＰ３０ソフトウェアアルゴリズムとしてデータフォーマット変換機能３４で実行される。
【０００５】
カメラモジュール１１はまた、自動タイム制御機能を実行するための自動露光制御装置１８と、相関二重サンプリング機能を実行するための相関二重サンプリング（ＣＤＳ）回路２２および自動ゲイン制御機能を実行するための自動ゲイン制御（ＡＧＣ）回路２４およびアナログデジタル変換機能を実行するためのアナログデジタル変換回路２６（ＡＤＣ）および自動ホワイトバランス機能を実行するための自動ホワイトバランス回路（ＡＷＢ）２８を有するインタフェース２０と、デジタル信号処理機能を実行するためのフレームメモリ３４を備えたデジタル信号プロセッサ３０と、データフォーマット変換機能を実行するためのデータフォーマット変換モジュール３４と、デジタル制御インタフェース機能を実行するためのデジタル制御インタフェースモジュール３６とを有する。
【０００６】
携帯電話は、小型サイズを得るために特別製の集積回路を使用して作られる。これらの回路は、最新の低電力処理技術を使用しており、したがって、できるだけ多くの処理をこの回路に一体化することが望ましい。シングルチップカメラモジュールを作るのを可能にするために、できるだけ多くの機能性をカメラモジュール１１から除去することが望ましい。
【０００７】
［発明の開示］
本発明は、光イメージ信号を提供するために光に応答するレンズ／フィルター組合わせを有する移動端末を提供する。移動端末はまた、シングルチップのカメラモジュールと集積型移動端末プロセッサとを含む。
【０００８】
操作において、シングルチップのカメラモジュールは、アナログデジタル変換（ＡＤＣ）前にアナログ画像処理機能と、基本センサ駆動および調整機能と、デジタル入力／出力（Ｉ／Ｏ）機能とを実行するために、かつ、センサデータ出力信号およびシングルチップカメラモジュールバス信号を提供するために、光イメージ信号に応答し、さらに集積型移動端末プロセッサの制御信号に応答する。アナログ画像処理機能は、相関二重サンプリング（ＣＤＳ）および自動ゲイン制御（ＡＧＣ）を含む。基本センサ駆動および調整機能は、画素アクセスとタイミングと基本的自動露光制御とを含む。
【０００９】
さらに、集積型移動端末プロセッサは、カメラ制御およびデータ変換機能を実行するために、かつ、集積型移動端末プロセッサ制御信号を提供するために、センサデータ出力信号に応答し、さらにシングルチップのカメラモジュールバス信号に応答する。
【００１０】
本発明の移動端末において、カメラ制御は移動端末プロセッサにあり、操作における基本センサ駆動および調整機能に優先する。データ変換は、移動端末プロセッサのみで行われる。センサからサンプリングされたデータは、未処理のフルフレームデータとして、または、本発明にしたがってより小さなフレームサイズのＲＧＢ表示として解釈することができるサブサンプリングされたデータとしてのいずれかで、移動端末へ転送される。本発明では、ＴＶ技術に基づいた端末で見るために１１：１２水平圧縮が可能になるように、サブサンプリングプロセスを構成することも可能である。さらに、ＣＭＯＳセンサ技術を使用することによって、サブサンプリングプロセスを画素アクセス回路に一体化するのが可能になり、これはさらに、端末プロセッサから構成可能であるように作ることができる。たとえば、データを読み取り送り出すためのマッピング画素位置を有するルックアップテーブルを、移動端末プロセッサによって修正することができ、センサのデッド画素位置から読み取ることを防止し、したがって、効果的なデッド画素隠蔽アルゴリズムを形成する。
【００１１】
要約すると、ピクチュアおよびビデオのキャプチャ用の最適化された構造を備えた本発明の移動端末カメラは、速いシリアルインタフェースを使用してデータ処理エンジンのフレームメモリでエンジンへデータを転送するシングルチップのカメラモジュールと、移動端末プロセッサでＲＧＢへおよび他の表示へさらに処理されるセンサからのフルフレームのサンプリングされたデータ（未処理データ）として、または移動端末でさらに処理する必要がないより小さなフレームサイズ（たとえばＣＩＦ）のすでにＲＧＢ表示のサブサンプリングされたセンサデータとしてのいずれかで転送されるデータとを含む。
【００１２】
ここに記載されたサブサンプリングプロセスは、フレーム情報を１１：１２の比で圧縮し、多くのビデオ圧縮標準に必要なベースラインとして使用されるＴＶ技術に基づいたスクリーンで変形なしで見ることを可能にする。
【００１３】
ＲＧＢ表示を生成するサブサンプリング機能は、画素読取回路に一体化され、その中で選択された画素は、速いシリアルインタフェースによって移動端末プロセッサへ転送するために、センサの出力へ読み取られることができる。この機能は、たとえばルックアップテーブルとしてプログラム可能であり、その中で各メモリビットはセンサアレイの１つの画素にマッピングされる。パワーアップ後のデフォルト設定は、すべての画素を読み取る。移動端末のプロセッサは、異なるサブサンプリング構成を生成するこのメモリで異なる画素組合わせを空白にすることができる。ここでルックアップテーブル以外の他の方法も可能であり、たとえば、読み取られるべき画素のアルゴリズム表示を生成することもできる。プロセッサは、ついでアルゴリズムのパラメータを読み取り、したがって画素を読み取る。
【００１４】
効果的なデッド画素隠蔽アルゴリズムも、プログラム可能な読取アクセス回路を使用して形成することができる。これは、センサアレイのデッド画素を無効にしてデッド画素の代わりに読み取られるべきデッド画素の隣の画素を選択することによって、移動端末プロセッサ内を走るアルゴリズムで行うことができる。
【００１５】
本発明の利点は
（１）処理の必要性が減少したため、すなわち、センサでは補間を計算する必要がなくなったことによる、センササイズの減少、
（２）センサがより小型になり、サブサンプリングがインタフェースによるデータ転送が減少することによる、電力消費の減少、
（３）ＲＧＢ表示が簡単かつ効果的な手段でセンサに生成されることによる移動端末で必要な処理の減少、および
（４）たとえばＨ．２６３標準に基づいたビデオ端末に必要な基線として使用される１２：１１画素比のディスプレイで見るためのビデオフォーマットを、過剰な処理なしに生成することができること
を含む。
【００１６】
［発明を実施するための最良の形態］
図２：基本発明
図２は、光イメージ信号を提供するために光に応答するレンズおよび（または）フィルター組合わせ１０２を有する全体として１００で示される移動端末を示す。移動端末は、シングルチップのカメラモジュール１０６と集積型移動端末プロセッサ１０８とを有するカメラ回路１０４を含む。
【００１７】
動作中、シングルチップのカメラモジュール１０６は、アナログデジタル変換（ＡＤＣ）前にアナログイメージ処理機能と、基本センサ駆動および調整機能と、デジタル入力／出力（Ｉ／Ｏ）機能とを実行するために、かつ、センサデータ出力信号およびシングルチップのカメラモジュールバス信号を集積型移動端末プロセッサ１０８へ提供するために、光イメージ信号に応答し、さらに集積型移動端末プロセッサ制御信号に応答する。アナログイメージ処理機能は、相関二重サンプリング（ＣＤＳ）および自動ゲイン制御（ＡＧＣ）を含む。基本センサ駆動および調整機能は、画素アクセスとタイミングと基本自動露光制御とを含む。シングルチップのカメラモジュール１０６は、図３に関連してより詳細に説明される。
【００１８】
さらに、集積型移動端末プロセッサ１０８は、カメラ制御およびデータ変換機能を実行するために、かつ、集積型移動端末プロセッサ制御信号をシングルチップカメラモジュール１０６へ提供するために、センサデータ出力信号に応答し、さらにシングルチップのカメラモジュールバス信号に応答する。
【００１９】
移動端末１００において、カメラ制御は移動端末プロセッサ１０８にあり、動作において基本センサ駆動および調整機能に優先する。データ変換は、移動端末プロセッサ１０８のみで行われる。センサからサンプリングされたデータは、未処理のフルフレームデータとして、または、本発明にしたがってより小さなフレームサイズのＲＧＢ表示として解釈することができるサブサンプリングされたデータとしてのいずれかで、移動端末１００へ転送される。
【００２０】
以下に説明するように、ＴＶ技術に基づいた端末で見るために１１：１２水平圧縮が可能になるように、サブサンプリングプロセスを構成することも可能である。
【００２１】
さらに、以下に説明するように、ＣＭＯＳセンサ技術を使用することによって、サブサンプリングプロセスを画素アクセス回路に一体化するのが可能になり、これはさらに、端末プロセッサから構成可能であるように作ることができる。たとえば、データを読み取り送り出すためのマッピング画素位置を有するルックアップテーブルを、移動端末プロセッサによって修正することができ、センサのデッド（ｄｅａｄ）画素位置から読み取ることを防止し、したがって、効果的なデッド画素隠蔽アルゴリズムを形成する。
【００２２】
集積型移動端末プロセッサ１０８は、図３に関連してより詳細に説明される。
【００２３】
図３
図３は、付属カメラを有する移動端末１００用の最適化された構造をより詳細に示す。
【００２４】
移動端末１００は、レンズ／フィルター組合わせ１０２を有する。
【００２５】
シングルチップのカメラモジュール１０６は、タイミング発生器機能を実行するためのタイミング発生器１１０と、イメージ検知機能を実行するための相補型金属酸化膜半導体（ＣＭＯＳ）画像センサ１１２と、基本的自動露光制御機能を実行するための基本的自動露光制御装置１１４とを含む。操作において、相補型金属酸化膜半導体（ＣＭＯＳ）画像センサ１１２は、６４０×４８０（ＶＧＡ）、８００×６００（ＳＶＣＡ）または１０２４×７６８（ＸＧＡ）画素のセンササイズを提供するか、または、４：３のアスペクト比を有する他のいずれのより大きなセンサ領域を提供する。
【００２６】
この構造において、必要なアナログ処理のみが機能し、これは、相関二重サンプリング機能を実行するための相関二重サンプリング（ＣＤＳ）モジュール１１６と自動ゲイン制御機能を実行するための自動ゲイン制御（ＡＧＣ）モジュール１１８とを含み、両方とも、アナログデジタル変換（ＡＤＣ）モジュール１２０の前にあり、また、画素アクセス回路１２２、タイミング発生器１１０および基本的自動露光制御装置１１４などのいくつかの基本センサ駆動および調整機能も含み、また、データ出力インタフェースモジュール１２４およびデジタル制御インタフェースモジュール１２６も含む。これらのすべての必要なアナログおよびデジタルの入力／出力処理機能は、シリコンまたは他の適切な半導体材料の同一片で実行されそこに存在する。図示のように、すべての必要なアナログ処理機能は、ＣＤＳ機能を除いて、集積型移動端末プロセッサ制御信号をシングルチップのカメラモジュール１０６へ提供するモジュールバス１２８によって、集積型移動端末プロセッサ１０８から制御することができる。
【００２７】
シリアルバス
シリコン回路のピンを節約するために、シングルチップのカメラモジュール１０６と集積型移動端末プロセッサ１０８とを接続するバスは、シリアルバスであることが好ましい。たとえば、制御バス１２８は、業界で公知である標準ユニバーサル・アシンクロナス・レシーバ／トランスミッタ（ＵＡＲＴ）を使用するより緩徐な（１００キロビット／秒未満）シリアルバスとして実現することができる。しかし、フルフレームのデータをＣＭＯＳ画像センサ１１２（たとえばセンサ）から集積型移動端末プロセッサ１０８（たとえばエンジン）へ転送しなければならないため、データ出力は非常に速いシリアルバス、たとえば、いわゆる低電圧差分信号発信（ＬＶＤＳ）バス１３０であることが好ましく、そのため、未加工の画素データをシリアル形態で移動端末処理ユニット１０８へ即座に転送することができる。フレーミング情報は、たとえば、フィンランド国特許出願第９９１９００／２４５１４ＦＩ号に提案されているように、信号発信にコード化することができる。
【００２８】
画素データ
未処理の画素データは、マトリクスデータの形態であってもよく（図４〜５参照）、各画素は１色のみに感受性があり、緑がもっとも多い色である。完全な赤／緑／青（ＲＧＢ）表示は、補間によって隣接する画素から計算される（図４〜５参照）。この処理は、ビデオデータへフレームごとに行われるときには、かなりのリソースを必要とする。
【００２９】
未処理の画素データは一般に、たとえば、８または１０ビットの解像度を有し、すなわち８／１０ビット／画素であり、これは、ＲＧＢ（３×８／１０ビット／画素になる）またはデジタル構成要素ビデオデータ（たとえばＹＵＶ４：２０：０は１２ビット／画素であり、ＹＵＶ４：２：２は１６ビット／画素である）よりも使用するデータの量がかなり少ない。これによって、集積型移動端末プロセッサ１０８に必要なフレームメモリ１３２の量はかなり少なくなり、とくに、大きな静止画フレームおよびビデオを処理するときにはそうである。
【００３０】
したがって、ＣＭＯＳ画像センサ１１２のカラーフィルターアレイ（ＣＦＡ）データを処理するには、（１）高処理能を必要とし、（２）集積型移動端末プロセッサ１０８に大きなフレームメモリを必要とする。
【００３１】
サブサンプリングデータ
センサアレイは静止画およびビデオの両方をキャプチャするのに使用される。静止画フレームは一般に、ビデオフレームよりもかなり大きい。より小さなフレームを形成することは、画素サブサンプリングを使用することによって、すなわち、大きなアレイから一定の画素を選択してより小さなフレームを表すことによって、行うことができる。この選択が、以下の未処理ＲＧＢデータの検討で呈される規則を使用して行われるときには、出力データはＲＧＢデータの形態であり、ＣＦＡ補間は必要なく、これによって、集積型移動端末プロセッサ１０８における多くの処理力が節約される。サイズ減少率が大きくなればなるほど、このサブサンプリング法はよく機能する。
【００３２】
以下の未処理のＲＧＢフォーマットセクションに記載されるように、画は、１１：１２の比率で水平に変形圧縮される。これは、結果として得られる画に垂直変形がないため、エンコードされたデータが１２：１１画素アスペクト比のビデオ会議機器で見られるときに、有益である。これは、デジタルカメラで矩形画素を有しＴＶ技術で１２：１１アスペクト比画素を有することから生じる一般的問題の解決策である。
【００３３】
ＣＭＯＳイメージセンサ１１２は、画素にランダムにアクセスするように構造されてもよい。これは、画素アクセス回路１２２が、一定の画素に特定の順番でアクセスすることができることを意味する。この順番は、固定されてもプログラム可能であってもよい。画素アクセス回路１２２が、たとえばルックアップテーブルの形態でプログラム可能であるならば、有益であるが、これは、画素サブサンプリングを制御するためと公知のデッド画素を出力データから除去するためとの両方に使用することができるからである。後者の機能は、デッド画素隠蔽（ＤＰＣ）とも呼ばれ、ＣＭＯＳ画像センサ１１２が非機能デッド画素を有することもあるため、必要である。カメラセンサでＤＰＣを実施することは、処理高を改良し生産コストを下げる。
【００３４】
様々なアスペクト比を有する異なる共通使用解像度への未加工ＲＧＢフォーマットのスケーリング／サブサンプリング
イメージの解像度のアスペクト比がスケーリングプロセスで変化するときには、それを管理するのに２つの方法がある。スケーリングは、未処理のソースイメージの使用可能な領域全体を使用して行うことができる。この方法は、目的イメージをＶＧＡ４：３からＣＩＦ１１：９アスペクト比へ平坦化するが、イメージは、テレビなどのディスプレイを使用する矩形画素アスペクト比に適切である。イメージをソース比として保つ他の方法は、いくつかの領域がソースから切り取られる。
【００３５】
アスペクト比変換のための方法
アスペクト比変換用の多目的数学仕様は、以下に述べられる。
【００３６】
４：３領域における最大二次元１１：９領域を計算する方法は、以下のように式１を使用して決定される。
ｘｃ＝Ｈｏｒ−（１１／９）＊（Ｖｅｒ−ｙｃ）
ただし、Ｈｏｒはソースイメージの水平幅に等しく、Ｖｅｒはソースイメージの垂直高さに等しく、ｘｃはソース水平幅から切り取るユニットの数に等しく、ｙｃはソース垂直高さから切り取るユニットの数に等しく、ｙｃ＝０、１、２、３……であり、解ｘｃが整数になるまで続く。
【００３７】
対応するｘｃおよびｙｃが得られると、目的領域は、以下のように式２を使用して決定される。
Ｈｏｒｄｅｓｔ＝Ｈｏｒ−ｘｃおよびＶｅｒｄｅｓｔ＝Ｖｅｒ−ｙｃ
【００３８】
アスペクト比変換の例
以下は、Ｈｏｒ＝１０２４およびＶｅｒ＝７６８用のアスペクト比変換の例である。
【００３９】
式１を使用する４：３領域における最大二次元１１：９領域は、以下のように決定される。
ｙｃ＝０：ｘｃ＝１０２４−（１１／９）＊（７６８−０）＝８５．３３（非整数）
ｙｃ＝１：ｘｃ＝１０２４−（１１／９）＊（７６８−１）＝８６．５６（非整数）
ｙｃ＝２：ｘｃ＝１０２４−（１１／９）＊（７６８−２）＝８７．７８（非整数）
ｙｃ＝３：ｘｃ＝１０２４−（１１／９）＊（７６８−３）＝８９（整数）
【００４０】
式２を使用する目的領域は、以下のように決定される。
Ｈｏｒｄｅｓｔ＝１０２４−８９＝９３５
Ｖｅｒｄｅｓｔ＝７６８−３＝７６５
【００４１】
この数学的分析は、いずれの４：３ソース画素領域から１１：９アスペクト比を有する最大画素数を生成することを可能にする。
【００４２】
切り取り法における使用可能な解像度
表１は、４：３＞１１：９アスペクト比スケーリングで使用することができる最大使用可能領域を示す。
【００４３】
【表１】
2004515981.tif 000003
【００４４】
切り取りを使用するときに、水平シーン情報の約１１％および垂直シーン情報の１％未満がゆるむ。表２は、切り取りを使用するときの異なる解像度用のスケーリング比を示す。表３は、非切り取り使用時のスケーリング比を含む。
【００４５】
【表２】
2004515981.tif 000004
【００４６】
【表３】
2004515981.tif 000005
【００４７】
表２および表３から見ることができるように、目的画素の量は、ソース画素の半数未満である。これによって、未処理のイメージにすべての色構成要素を含む最小要素は、２×２マトリクス、たとえば、ベイヤーフォーマット未処理のイメージであるため、ソースから必要な画素を収集することだけを可能にする。
【００４８】
［発明の範囲］
したがって、本発明は、構造の特徴、要素の組み合わせ、および、部品の配列を含み、これは、今後に述べられる構造で例証される。
【００４９】
したがって、上記に述べられた目的、および先行する説明から明らかになるものが、効率的に得られ、本発明の範囲から逸脱することなく一定の変更を前記構造に行うことができるため、前記説明に含まれるかまたは添付の図面に示されるすべての事項は、例示として解釈され限定的意味には解釈されるべきでない。
【図面の簡単な説明】
【図１】
先行技術で知られているデジタルカメラのブロック図である。
【図２】
本発明の主題であるカメラ回路を有する移動端末のブロック図である。
【図３】
図２に示された移動端末の詳細な実施の形態のブロック図である。
【図４】
シェーディングを有するカラーフィルターアレイ（ＣＦＡ）の補間の例の図である。
【図５】
シェーディングのない図４のカラーフィルターアレイ（ＣＦＡ）の補間の例の図である。
【図１】
2004515981.tif 000006
【図２】
2004515981.tif 000007
【図３】
2004515981.tif 000008
【図４】
2004515981.tif 000009
【図５】
2004515981.tif 000010
【国際公開パンフレット】
2004515981.tif 000011
2004515981.tif 000012
2004515981.tif 000013
2004515981.tif 000014
2004515981.tif 000015
2004515981.tif 000016
2004515981.tif 000017
2004515981.tif 000018
2004515981.tif 000019
2004515981.tif 000020
2004515981.tif 000021
2004515981.tif 000022
2004515981.tif 000023
2004515981.tif 000024
2004515981.tif 000025
2004515981.tif 000026
2004515981.tif 000027
2004515981.tif 000028
2004515981.tif 000029
2004515981.tif 000030
2004515981.tif 000031
2004515981.tif 000032
2004515981.tif 000033
2004515981.tif 000034
2004515981.tif 000035
2004515981.tif 000036
2004515981.tif 000037
【国際調査報告】
2004515981.tif 000038
2004515981.tif 000039